(57)【要約】【課題】保温動作のタイミングを最適化することにより省エネ性能を向上させた貯湯式給湯機を提供すること。【解決手段】本発明の貯湯式給湯機は、湯水を貯える貯湯タンク１０と、浴槽２２内の湯水と貯湯タンク１０内の高温水とを熱交換する追い焚き熱交換器２７と、浴槽２２内の湯水を追い焚き熱交換器２７へ送る循環ポンプ２６と、給湯温度の設定や風呂運転の設定を行う操作部３４を有した浴室リモコン３２と、浴室リモコン３２には浴室内に人が居るかどうかを判別する人感センサー部３６とを備え、人感センサー部３６で人を検知した時に浴槽内の湯水の保温運転を開始する給湯機であって、操作部３４を操作することによって人感センサー部３６の判定レベルを設定可能に構成した。【選択図】図１
2010210136.tif 000002
【特許請求の範囲】
【請求項１】
湯水を貯える貯湯タンクと、浴槽内の湯水と前記貯湯タンク内の高温水とを熱交換する追い焚き熱交換器と、前記浴槽内の湯水を前記追い焚き熱交換器へ送る循環ポンプと、給湯温度の設定や風呂運転の設定を行う操作部を有した浴室リモコンと、前記浴室リモコンには浴室内に人が居るかどうかを判別する人感センサー部とを備え、人感センサー部で人を検知した時に浴槽内の湯水の保温運転を開始する給湯機であって、前記操作部を操作することによって前記人感センサー部の判定レベルを設定可能に構成したことを特徴とする貯湯式給湯機。
【請求項２】
前記人感センサー部の判定レベルを記憶する記憶手段を備えたことを特徴とする請求項１に記載の貯湯式給湯機。
【請求項３】
給湯機の設置時に行う試運転モードのステップに、前記人感センサーの判定レベルを設定するステップを組み込んだことを特徴とする請求項１または２に記載の貯湯式給湯機。
【請求項４】
前記試運転モードが終了後に前記人感センサーの判定レベルを設定する場合は、前記操作部を特殊操作することによって設定可能に構成したことを特徴とする請求項１から３のいずれか１項に記載の貯湯式給湯機。
【請求項５】
前記浴室リモコンに設定温度や運転状況を表示する表示部を備え、前記人感センサーの判定レベルを設定中は、前記表示部に前記人感センサーの反応状態を表示することを特徴とする請求項１から４のいずれか１項に記載の貯湯式給湯機。
【請求項６】
前記浴室リモコンに音声を報知するスピーカを備え、前記人感センサーの判定レベルを設定中は、前記スピーカにより前記人感センサーの反応状態を報知することを特徴とする請求項１から５のいずれか１項に記載の貯湯式給湯機。
【発明の詳細な説明】
【技術分野】
【０００１】
本発明は、浴室リモコンに人感センサーを有する貯湯式給湯機に関するものである。
【背景技術】
【０００２】
従来から、ヒートポンプ給湯機に代表される貯湯式給湯機には、自動湯張り機能や追い焚き機能を搭載し、オール電化住宅の増加に伴い、現在では必要不可欠な機能となっている。特に、風呂の自動運転機能は、設定水位または設定水量まで浴槽に湯張りを行ったり（自動湯張り機能）、浴槽内の温度を自動で設定温度まで沸き上げたり（自動保温機能）、浴槽内の水位が低下すれば自動的に浴槽へ設定水位まで補水を行ったり（自動足し湯機能）、ユーザにとっては大変便利な機能を有している（例えば、特許文献１参照）。
【０００３】
図３は、従来の貯湯式給湯機の構成図である。図３に示すように、従来の貯湯式給湯機は、湯水を貯える貯湯タンク１１０を備え、貯湯タンク１１０内の高温水を混合弁１２３で冷水と混合して浴槽１２２へ供給している。また、浴槽１２２内の温水を追い焚きするときは、循環ポンプ１２６を駆動して、風呂サーミスタ１３０で浴槽内の湯水の温度を検出した後、所定温度よりも浴槽内の湯水の温度が低い場合には、追い焚き熱交換器１２７で浴槽水と、貯湯タンク１１０内の高温水とを熱交換して浴槽水の追い焚きを行う。
【特許文献１】特開平０９−１７０７５２号公報
【発明の開示】
【発明が解決しようとする課題】
【０００４】
しかしながら、前記従来の構成では、人が入浴中でなくても所定時間毎に定期的に循環ポンプ１２６を駆動して風呂サーミスタ１３０で浴槽の湯温チェックを行う為、循環の度に給湯機本体と浴槽とをつなぐ配管の中の冷えた水を、浴槽内に供給してしまうことになり、その結果、放熱による温度低下だけではなく、冷水を浴槽に供給してしまうことによる湯温低下を引き起こしてしまい、ひいては、沸き上げ用の熱量が余計にかかってしまい、省エネという観点から課題があった。
【０００５】
特に、貯湯タンクを有する給湯機は、夜間の電力が安い時間に貯湯タンクに高温水を貯えて、昼間の電力が高い時間には、貯湯タンク内の高温水を使用するという思想の給湯機であるので、電力が安い夜間時間帯になる前に貯湯タンク内の高温水が湯切れを引き起こしてしまうと、昼間の電力が高い時間帯に貯湯タンク内の湯水を沸き上げなければならなくなってしまう。
【０００６】
本発明は、前記従来の課題を解決するもので、保温動作のタイミングを最適化することにより省エネ性能を向上させた貯湯式給湯機を提供することを目的とする。
【課題を解決するための手段】
【０００７】
前記従来の課題を解決するために、本発明の貯湯式給湯機は、湯水を貯える貯湯タンクと、浴槽内の湯水と前記貯湯タンク内の高温水とを熱交換する追い焚き熱交換器と、前記浴槽内の湯水を前記追い焚き熱交換器へ送る循環ポンプと、給湯温度の設定や風呂運転の設定を行う操作部を有した浴室リモコンと、前記浴室リモコンには浴室内に人が居るかどうかを判別する人感センサー部とを備え、人感センサー部で人を検知した時に浴槽内の湯水の保温運転を開始する給湯機であって、前記操作部を操作することによって前記人感センサー部の判定レベルを設定可能に構成したことにより、人感センサー部で検知した時に保温運転を開始するので、所定時間毎に循環ポンプを駆動して、浴槽と熱交換器とを接続している配管の中の冷えた水を浴槽へ供給して浴槽の湯水の湯温を下げてしまうことがな
くなり、ユーザが浴室に入った時だけ保温動作に入ることができるので無駄な沸き上げ用の熱量を使うこともなくなり、省エネ性の改善につながる。
【０００８】
また、ユーザの浴室の大きさがどのようなものであっても、その設置条件にあったレベルに人感センサー部３６の感度を変更することができるので、人を検出しなくて保温動作しないとか、人が居ないのに保温動作になって省エネにならないということが回避できる。
【発明の効果】
【０００９】
本発明は、保温動作のタイミングを最適化することにより省エネ性能を向上させた貯湯式給湯機を提供することができる。
【発明を実施するための最良の形態】
【００１０】
第１の発明の貯湯式給湯機は、湯水を貯える貯湯タンクと、浴槽内の湯水と貯湯タンク内の高温水とを熱交換する追い焚き熱交換器と、浴槽内の湯水を追い焚き熱交換器へ送る循環ポンプと、給湯温度の設定や風呂運転の設定を行う操作部を有した浴室リモコンと、浴室リモコンには浴室内に人が居るかどうかを判別する人感センサー部とを備え、人感センサー部で人を検知した時に浴槽内の湯水の保温運転を開始する給湯機であって、操作部を操作することによって人感センサー部の判定レベルを設定可能に構成したことにより、所定時間毎に循環ポンプを駆動して、浴槽と熱交換器とを接続している配管の中の冷えた水を浴槽へ供給して浴槽の湯水の湯温を下げてしまうことがなくなり、ユーザが浴室に入った時だけ保温動作に入ることができるので無駄な沸き上げ用の熱量を使うこともなくなり、省エネ性の改善につながり、また、ユーザの浴室の大きさがどのようなものであっても、その設置条件にあったレベルに人感センサー部３６の感度を変更することができるので、人を検出しなくて保温動作しないとか、人が居ないのに保温動作になって省エネにならないということが回避できる。
【００１１】
第２の発明の貯湯式給湯機は、特に第１の発明において、人感センサー部の判定レベルを記憶する記憶手段を備えたことにより、風呂の湯張りをするたびに、毎回設定する必要がない。
【００１２】
第３の発明の貯湯式給湯機は、特に第１または第２の発明において、給湯機の設置時に行う試運転モードのステップに、人感センサーの判定レベルを設定するステップを組み込んだことにより、設置業者が試運転時に必ず設定するステップとなり、ユーザが使用するときには設定する必要がなく、初回の湯張りから人感センサーを使用した省エネの運転を行うことができる。
【００１３】
第４の発明の貯湯式給湯機は、特に第１から第３の発明において、試運転モードが終了後に人感センサーの判定レベルを設定する場合は、操作部を特殊操作することによって設定可能に構成したことにより、ユーザが意識して人感センサーの判定レベルを変更しないと変更できないようにしており、操作ミスで不必要に人感センサーの判定レベルが変更されてしまうことを防止することができる。
【００１４】
第５の発明の貯湯式給湯機は、特に第１から第４の発明において、前記浴室リモコンに設定温度や運転状況を表示する表示部を備え、前記人感センサーの判定レベルを設定中は、前記表示部に前記人感センサーの反応状態を表示することにより、人感センサー部の判定レベルを切り替えたときに、人を検出しているかどうかを視覚的に判断することができ、メンテナンス性を向上させることができる。
【００１５】
第６の発明の貯湯式給湯機は、特に第１から第５の発明において、前記浴室リモコンに
音声を報知するスピーカを備え、前記人感センサーの判定レベルを設定中は、前記スピーカにより前記人感センサーの反応状態を報知することにより、人を検出しているかどうかを聴覚的に判断することができ、メンテナンス性を向上させることができる。
【００１６】
以下、本発明の実施の形態について、図面を参照しながら説明する。なお、この実施の形態によって本発明が限定されるものではない。
【００１７】
（実施の形態１）
図１は本発明の一実施例による貯湯式給湯器の構成図を示すものである。
【００１８】
図１に示すように、本願発明の貯湯式給湯機は、内部に湯水を貯湯する貯湯タンク１０を有し、貯湯タンク１０の上部には給湯管１１が接続され、貯湯タンク１０の下部には給水管１２が接続されている。また、給水管１２は上水道が接続される給水口１３から水道圧を減圧させる減圧弁１４を介して接続されている。
【００１９】
貯湯タンク１０内では、比重差からお湯が上部、水が下部に分離して温度層が上下に形成されている。貯湯タンク１０内の湯水の沸き上げ時には、タンク１０上部からお湯が貯湯されることで、お湯が押し下げられる形で層を形成して蓄積される。そして、給湯管１１の末端にはシャワー２１やカラン２０などの給湯端末が接続され、給湯端末から湯を出すと、貯湯タンク１０の下部には給水管１２が接続されているので常時給水圧が掛かっており、給水管１２からタンク１０内に水が給水されて、タンク１０内は常に湯水で満たされた状態となる。
【００２０】
また貯湯タンク１０には、下部から上部へと連結された沸き上げ配管１５が接続されてあり、その沸き上げ配管１５には、沸き上げポンプ１６と熱源部１７が介在している。そして沸き上げ時には、沸き上げポンプ１６を駆動させて、タンク１０下部の湯水を熱源部１７へと供給し、熱源部１７によって湯水が加熱した後、タンク１０上部へと戻されることで貯湯されていく。なお熱源部１７は、ヒートポンプサイクル機構を有したヒートポンプ若しくヒータ等の熱源があげられる。
【００２１】
また、出湯管１１と給水管１２から分岐した給水分岐管４２とを接続し適温の湯を生成する給湯混合弁４３を備えており、カラン２０もしくはシャワー２１から出湯する際には、給湯混合弁４３で設定温度の湯に混合されて供給される。
【００２２】
また、出湯管１１と給水分岐管４２とを接続し適温の湯を生成する風呂給湯混合弁２３を備えており、風呂給湯混合弁２３の下流側に風呂給湯サーミスタ２４と、風呂への湯張りを開始／停止する風呂注湯弁２５とを有しており、風呂への湯張りが開始されると風呂注湯弁２５を開いて、風呂給湯混合弁２３で適温に混合された湯を浴槽２２へ供給してる。なお、風呂給湯混合弁２３の制御は、風呂給湯サーミスタ２４で検出する温度が、設定した湯張り温度となるように風呂給湯混合弁２３を駆動する。
【００２３】
また、浴槽２２内の湯水を追い焚きするための追い焚き熱交換器２７を有しており、追い焚き熱交換器２７で浴槽２２内の湯水と、貯湯タンク１０内の高温水とを熱交換している。そして浴槽２２内の湯水を追い焚き熱交換器２７へ供給するための循環ポンプ２６を備えており、浴槽２２と循環ポンプ２６と追い焚き熱交換器２７とが給湯配管で環状に接続されている。
【００２４】
また、追い焚き熱交換器２７の高温水循環側回路には、給湯管１１から出湯した高温水が流れ、追い焚き熱交換器２７で熱交換した後の温水は貯湯タンク１０の底部へ返流されるように構成されている。なお、貯湯タンク１０の底部と追い焚き熱交換器２７との間に
は追い焚きポンプ２９が配設されており、追い焚きポンプ２９を駆動することによって、追い焚き熱交換器２７へ高温水を供給するようにしている。
【００２５】
また、循環ポンプ２６と追い焚き熱交換器２７との間には、浴槽２２内の湯水の水位を検出する水位センサー４０と、浴槽２２内の湯水の温度を検出する風呂サーミスタ３０を設け、追い焚き熱交換器２７の浴槽水循環側の下流側には追い焚きサーミスタ２８が配設されている。そして浴槽２２内の湯水を追い焚きするときには、まず循環ポンプ２６を駆動して、風呂サーミスタ３０で浴槽水の温度を検出し、検出した浴槽水の温度が設定温度となるまで循環ポンプ２６を駆動する。また安全性の観点から浴槽２２へ高温の湯を供給しないために、追い焚きサーミスタ２８で検出する温度が６０度を超えないように循環ポンプ２６を駆動させる。
【００２６】
また、浴室には浴室リモコン３２が設置されている。浴室リモコン３２には、給湯温度を変更するためのＵＰ／ＤＯＷＮスイッチや、風呂運転の自動を入／切するための風呂自動運転スイッチなどの操作部３４がある。また、給湯温度や風呂自動運転中など給湯機の運転状態を表示するための表示部３５がある。そして、浴室リモコン３２には、人が浴室に入ってきたことを検出するための人感センサー部３６と、人感センサー部３６の判定レベルを記憶するための記憶部（図示せず）を備えている。なお、人感センサー部３６は赤外線センサーで構成されている。
【００２７】
次に浴槽２２への湯張り運転について説明する。
【００２８】
まず、浴室リモコン３２の操作部３４に配設された風呂自動運転スイッチを入り操作するか、もしくは予め自動湯張り時間を設定している場合には予約時間になると、風呂注湯弁２５が開き、風呂給湯混合弁２３で混合された湯が浴槽２２へ供給される。
【００２９】
そして、浴室リモコン３２もしくは台所などに設置した別の給湯機リモコン（図示せず）で設定した設定水位までお湯はりが完了すると、風呂注湯弁２５を閉じて、循環ポンプ２６を駆動し、浴槽２２内の湯を攪拌し、かつ、追い焚き熱交換器２７にて貯湯タンク１０の湯水と熱交換をして浴槽温度を設定温度まで沸上げを行う。
【００３０】
そして、設定温度まで沸上げが終了すると、浴室リモコン３２に設けたスピーカ（図示せず）から報知音を鳴らしたり、表示部３５にお風呂が沸きあがったことを知らせる表示を行う。この時点で、ユーザが入浴すると浴槽温度が設定温度になっているため快適に入浴することができる。
【００３１】
次に、浴槽２２内の温水の保温運転について説明する。
【００３２】
本来、湯張りが終了した時点で家族全員が入浴すればよいが、家族の生活パターンの違いからふろ湯張りを完了した時間よりも遅い時間帯に入浴する場合も考えられる。この場合、従来の貯湯式給湯機においても自動で保温運転を行っていた。しかしながら上述したとおり、所定時間毎に循環ポンプ２６を駆動させてしまい、循環ポンプ２６を駆動するたびに浴槽２２内の温水の温度を低下させてしまう。
【００３３】
そこで本発明では、人感センサー部３６で人が浴室にいないことを検出している間は、自動で保温運転を行わないようにしている。すなわち、人感センサー部３６で人が浴室へ入室してきたことを検出してから、循環ポンプ２６を駆動させて保温運転に入る。
【００３４】
その結果、従来の貯湯式給湯機のように、所定時間毎（例えば、１５分毎）に循環ポンプ２６を駆動させて、自動で保温運転を行う場合に比べて、浴槽２２と追い焚き熱交換器
２７とを接続する配管内に溜まった冷水が浴槽２２へ入る回数が極端に減るので、放熱以外で浴槽２２内の湯水の温度を下げてしまうことを防止する。
【００３５】
なお、保温運転とは浴槽２２内の湯水の温度を設定温度に保つ運転をいい、追い焚き熱交換器２７で追い焚きを行うだけではなく、浴槽２２から湯水があふれない範囲であれば、風呂注湯弁２５を開いて貯湯タンク１０から高温水を供給して、浴槽２２内の温度を上昇させてもよい。
【００３６】
しかしながらユーザの使用性や好みを考慮すると、人感センサー部３６を用いた保温運転よりも、従来からの保温運転の方が使い勝手が良い場合がある。そこで本実施の形態の貯湯式給湯機では、人感センサー部３６を無効にして通常の保温運転を行うこともできる。そのためユーザは人感センサー部３６を利用した保温運転と、通常の保温運転の両方を選択することができ、非常に使い勝手が向上する。
【００３７】
従来からの保温運転を行う場合は、浴室リモコン３２で所定の操作をすることにより、人感センサー部３６の機能を無効にする。その結果、従来の保温運転と同じように、所定時間毎（例えば、１５分毎）に循環ポンプ２６を駆動させて、風呂サーミスタ３０で浴槽２２内の温度を検出し、検出した温度が所定温度を下回った時に、追い焚きポンプ２９を駆動させて、浴槽２２内の湯水を追い焚きする。このように人感センサー部３６の機能を使用するかしないかをユーザの好みに応じて変更することができる。
【００３８】
また、人感センサー部３６を有効にした場合、人感センサー部３６で人を検知した時だけ循環ポンプ２６を駆動させてもよいが、人の不在時間があまりにも長すぎて、放熱だけであっても浴槽２２内の湯水の温度が極度に低くなってしまう場合がある。その時には、人感センサー部３６で人を検知してから浴槽２２内の湯水を追い焚きしていたのでは、人が入室してから浴槽２２に入るまでの間に設定温度まで追い焚きをすることが出来ない場合がある。
【００３９】
そのため、本実施の形態１では、人感センサー部３６が有効になっている場合は、人感センサー部３６が無効になっているときに循環ポンプ２６を動かしている所定時間を長く設定している。つまり人感センサー部３６が無効になっているときの循環ポンプ２６の駆動は所定時間α毎に行い、人感センサー部３６が有効になっているときの循環ポンプ２６の駆動時間は所定時間β毎に行った時に、所定時間α＜所定時間βの関係を有している。その結果、人感センサー部３６が有効になっているときは、無効になっているときに比べて循環ポンプ２６の駆動回数が減り、循環ポンプ２６が駆動することによって発生する浴槽２２内の湯水の低下を防ぐことができる。
【００４０】
また、人感センサー部３６が無効になっている場合の保温運転は、循環ポンプ２６を駆動して風呂サーミスタ３０で温度を検知し、検知した浴槽２２内の湯水の温度が所定温度以下になっている場合に追い焚きポンプ２９を駆動して浴槽２２内の湯水の追い焚きを行っている。
【００４１】
しかしながら、人感センサー部３６が有効になっている場合の保温運転は、人感センサー部３６で人の入室を検知すると、すぐに追い焚きを開始しなければ、入室した人が浴槽２２につかるまでに浴槽２２内の湯水の温度を上昇させることができない。そのため通常の保温運転では、まず循環ポンプ２６を駆動して浴槽２２内の湯水の温度を風呂サーミスタ３０で検出した後、所定温度よりも低い場合は追い焚きポンプ２９を駆動していたが、人感センサー部３６が有効になっている場合は、人感センサー部３６で人を検知すると、循環ポンプ２６と追い焚きポンプ２９とを同時に駆動している。その結果、より早く浴槽２２内の湯水の温度を上昇させることができる。
【００４２】
また、人感センサー部３６が有効になっている場合であっても、別のユーザ入浴してから、次のユーザが入浴するまでの時間が、所定時間Ａよりも短い場合には、次のユーザが浴室に入室したことを検知したとしても、保温運転を開始しない。これは、別のユーザから次のユーザまでの時間間隔が短いため、それほど浴槽２２内の湯水の温度が低下していないと判断している。
【００４３】
例えば、所定時間Ａを１０分に設定したとする。そしてユーザＸの入浴が終わってから、ユーザＹの入室を検知した時間が５分であったとすると、保温運転は開始しない。時間間隔があまり経っていない時点で保温運転を開始してしまうと、追い焚き熱交換器２７と浴槽２２とを結んでいる給湯配管に残った冷水が入って、逆に浴槽２２内の湯水の温度を低下しかねないからである。
【００４４】
人感センサー部３６で人を検知したときの保温動作は、浴槽２２内の温度を確認するステップを飛ばして、上述したとおり循環ポンプ２６と追い焚きポンプ２９とを同時に駆動させているが、追い焚き熱交換器２７から浴槽２２へ接続されている給湯配管内に残っている冷水は、熱交換されないまま浴槽２２へ供給されるので、浴槽２２の湯水の温度を低下させてしまうため、時間間隔があまり経っていない時点での保温運転を行わないことで、浴槽２２内の湯水の温度低下を防止している。
【００４５】
次に、人感センサー部３６の判定レベルの調節について説明する。
【００４６】
通常の人感センサー部３６の判定レベルの調節は、貯湯式給湯機を設置した時に行う。通常、貯湯式給湯機を設置した時には、貯湯式給湯機の配管内に介在する空気などを抜くための試運転モードを有しており、浴室リモコン３２の表示部３５に表示される指示に従って操作部３４を操作することで、設置業者は試運転モードを実行することができ、貯湯式給湯機の設置時に試運転を行っている。
【００４７】
そこで、本実施の形態１では、試運転モードに人感センサー部３６の判定レベルの調節を行うステップを入れている。つまり、試運転時に表示部３５に表示される指示内容に、人感センサー部３６の判定レベルを調節するステップを入れて、判定レベルを調節するステップを終了しなければ、次のステップにいくことがないようにしている。その結果、ユーザは貯湯式給湯機が設置された後に、ユーザ自らが設定する必要がなく、ユーザが設定する煩わしさを感じることがない。
【００４８】
また、設置業者が設置して試運転を実行した後に、ユーザの思い通りに人感センサー部３６が機能しない場合には、ユーザ自らが設定できるようにしている。しかしながら、簡単に操作して判定レベルを変更できるようになっていた場合、ユーザが操作部３４を何気なく触っているときに、気付かない間に人感センサー部３６の判定レベルが変更してしまうかもしれない。
【００４９】
そこで、本実施の形態１では、操作部３４を特殊操作することで判定レベルを変更することができるようにしている。なお、特殊操作とは、通常の操作部３４の操作方法ではされることの無い操作のことを言い、例えば、取扱説明書を見ながらでなければ行うことの無い操作方法のことを指している。本実施の形態１では、ＵＰスイッチとＤＯＷＮスイッチを同時に１０秒間押すことで、判定レベルが変更できるモードに移る。この場合、ＵＰスイッチとＤＯＷＮスイッチは通常相反するスイッチであると感覚的にユーザが分かるため、通常の操作ではＵＰスイッチとＤＯＷＮスイッチが同時に１０秒間押されることは殆ど無く、本実施の形態では特殊操作の一例として挙げた。なお、特殊操作はこれに限定されることなく、他の操作方法でも問題はない。
【００５０】
図２は本発明の判定レベル変更のフローチャートである。
【００５１】
まず、ＳＴＥＰ００１でユーザが特殊操作を行ったかを判断する。実施の形態１では特殊操作としてＵＰスイッチとＤＯＷＮスイッチとを同時に１０秒間押すこととし、特殊操作があるか無いかを判断する。特殊操作があった場合には、表示部３５に判定レベル変更画面を表示し、ＳＴＥＰ００２へと進む。一方、特殊操作が無い場合には、最初に戻る。そして、表示部３５にはＵＰスイッチもしくはＤＯＷＮスイッチで判定レベルを変更できることが表示されるため、ユーザはＵＰスイッチもしくはＤＯＷＮスイッチを押して判定レベルを変更するように促される。
【００５２】
次に、ＳＴＥＰ００２ではＵＰスイッチの操作があったかどうかを判断する。ＵＰスイッチの操作があった場合にはＳＴＥＰ００４へ進み、判定レベルを（＋１）してＳＴＥＰ００６へ進む。つまり人感センサー部３６の反応感度を上げる。そしてＵＰスイッチの操作が無かった場合にはＳＴＥＰ００３へ進み、ＤＯＷＮスイッチの操作があったかどうかを判断する。ＤＯＷＮスイッチの操作が合った場合にはＳＴＥＰ００５へ進み、判定レベルを（−１）する。つまり人感センサー部３６の反応感度を下げる。そしてＤＯＷＮスイッチの操作が無かった場合にはＳＴＥＰ００６へ進む。
【００５３】
次に、ＳＴＥＰ００６に進むと表示部３５には、検知したい場所まで移動するように促すメッセージが表示される。例えば「５秒後に人感センサーで入室検知を行います。」と表示されるので、この間にユーザは検知して欲しい場所まで浴室内を移動する。例えば、浴室の入口に入った時に人感センサー部３６で人体検知して欲しい場合には、この間に浴室の入口まで移動して人体検知するかどうかを確認する。人体を検知した場合にはＳＴＥＰ００７へ進み、人体を検知しなかった場合にはＳＴＥＰ００９へ移動する。
【００５４】
ＳＴＥＰ００７では表示部３５に人体を検出したことを示す「１」を表示し、ＳＴＥＰ００９では人体を検出しなかったことを示す「０」を表示する。なお、この表示は「０」、「１」に限定されるものではなく、例えば「検知しました」、「検知しません」などの文字情報で示してもよい。このようなステップを入れることで、設置業者もしくはユーザは視覚的に確認することができる。そしてＳＴＥＰ００７およびＳＴＥＰ００９の次は、それぞれＳＴＥＰ００８およびＳＴＥＰ０１０に進む。
【００５５】
ＳＴＥＰ００８では、浴室リモコン３２に設けたスピーカからブザー音を鳴らし、ＳＴＥＰ０１０では、ブザー音を鳴らさないようにしている。このようなステップを入れることで、設置業者もしくはユーザは聴覚的にも確認することができる。ＳＴＥＰ００８およびＳＴＥＰ０１０の次は、ともにＳＴＥＰ０１１に進む。
【００５６】
ＳＴＥＰ０１１では、人感センサー部の判定レベルを記憶する記憶手段に設定した判定レベルを記憶させて、ＳＴＥＰ０１２に進む。ＳＴＥＰ０１２では判定レベルの設定を終了するかどうかを確認するメッセージを表示部３５に表示させて、ユーザに「はい」もしくは「いいえ」を選択するように促す。ユーザが「はい」を選んだ場合には判定レベル設定を終了し、表示部３５は通常の画面に戻り、「いいえ」を選んだ場合にはＳＴＥＰ００２に戻り、再度判定レベルを設定する。
【００５７】
もしくはＳＴＥＰ０１２では、判定レベルの設定を終了するかどうかを確認するために表示部３５にメッセージを表示したが、ＳＴＥＰ０１１の段階で、ＵＰ／ＤＯＷＮスイッチ操作が無い状態で一定時間が経過すると、不揮発性メモリの記憶部にその変更した判定レベルを書き込んで記憶して終了し、ＵＰ／ＤＯＷＮスイッチの操作が合った場合にはＳＴＥＰ００２に戻る構成にしてもよい。
【００５８】
以上のように、人感センサー部３６の判定レベルを調整するモードを設けて、その設置条件にあった判定レベルに変更することができるので、人を検出しなくて保温動作しないとか、人が居ないのに保温動作になって省エネにならないということが回避でき、品質を向上させることができる。また、操作部３４の特殊操作をしたときだけ人感センサー部の判定レベルを調整できるようにすることで、ユーザが容易に変更してしまうこともなく、使い勝手を損なうことはない。
【００５９】
また、本発明の貯湯式給湯機では設置した１回目だけ起動される試運転時を備えており、このときに必ず人感センサー部３６の判定レベルを切り替えることが出来る調整モードのステップを組み込んで構成されている。従って、わざわざ特殊操作をして人感センサー部３６の判定レベルの調整モードにする必要も無く設置状況に合わせた人感センサー部３６の調整が出来るので施工時の利便性を良くることが出来る。
【００６０】
そして、施工時の調整がされないままにユーザに引き渡されることもないため、所定時間毎に給湯機本体から浴槽までの配管の中の冷えた水を浴槽で攪拌させることで浴槽の湯水の湯温を下げてしまうこともなくなり、ユーザが浴室に入った時に保温動作に入ることができるので無駄な沸き上げ用の熱量を使うこともなくなり省エネ性の改善につながり、使い勝手が良くなる。
【００６１】
また、浴室リモコン３２の特殊操作により人感センサー部３６の判定レベルを切り替えているときは、表示部３５に人感センサー部３６が人が検出しているかどうかの反応状態を表示する構成としてある。上述した実施例では、人感センサー部３６が人を検出しているときは表示部３５の給湯温度の数表示部に「１」を表示して人を検出していないときは「０」を表示するものである。更には、浴室リモコン３２が音声案内を報知するスピーカを備え、人感センサー部３６が人を検出しているときにブザー音を報知する構成としてある。このように構成することで、人感センサーの判定レベルの設定中は視覚的、あるいは聴覚的に判定レベルを確認できるので調整しやすくなり、メンテナンス性が向上させることができる。
【産業上の利用可能性】
【００６２】
以上のように、本発明に係る貯湯式給湯機は、熱源にヒートポンプを用いる他、電気ヒータ、石油、ガスなどの熱源を使用してもよい。
【図面の簡単な説明】
【００６３】
【図１】実施の形態１における貯湯式給湯機の構成図
【図２】同形態１における判定レベル変更のフローチャート
【図３】従来の貯湯式給湯機の構成図
【符号の説明】
【００６４】
１０  貯湯タンク
１１  給湯管
１２  給水管
１５  沸き上げ配管
１６  沸き上げポンプ
１７  熱源部
２０  カラン
２１  シャワーヘッド
２２  浴槽
２６  循環ポンプ
２７  追い焚き熱交換器
２９  追い焚きポンプ
３０  風呂サーミスタ
３２  浴室リモコン
３４  操作部
３５  表示部
３６  人感センサー部
【図１】
2010210136.tif 000003
【図２】
2010210136.tif 000004
【図３】
2010210136.tif 000005